(57)【要約】本発明は、不特定多数を対象としてウェブページ接続を試みたユーザの地域情報を識別し、地域情報と関連した広告情報を地図情報と共に一般ディスプレイ領域に露出する方法およびシステムに関する。本発明に係る一般ディスプレイ領域における広告提供方法は、地域別地図情報を地図データベースに記録して保持するステップと、ユーザのウェブページアクセスを認識し、地域情報データベースからユーザの地域情報を識別するステップと、識別された地域情報と関連した広告リストの存在可否を確認するステップと、広告リストが存在する場合に、地図データベースから地域情報と関連して識別された広告情報と関連した地図情報を識別するステップと、一般ディスプレイ広告領域に広告情報と地図情報を露出するステップとを含むことを特徴とする。【選択図】図１
2009540421.tif 000002
【特許請求の範囲】
【請求項１】
地域別地図情報を地図データベースに記録して保持するステップと、
ユーザのウェブページアクセスを認識し、地域情報データベースから前記ユーザの地域情報を識別するステップと、
前記識別された地域情報と関連した広告リストの存在可否を確認するステップと、
前記広告リストが存在する場合に、前記地域情報と関連して識別された広告情報と関連した地図情報を前記地図データベースから識別するステップと、
一般ディスプレイ広告領域に前記広告情報と前記地図情報を露出するステップと、
を含むことを特徴とする一般ディスプレイ領域における広告提供方法。
【請求項２】
ユーザのウェブページアクセスを認識し、地域情報データベースから前記ユーザの地域情報を識別する前記ステップは、
前記ウェブページアクセスを試みた前記ユーザのＩＰアドレス情報を確認するステップと、
前記ＩＰアドレス情報と関連したアドレス情報を識別し、前記地域情報データベースから前記アドレス情報と関連した地域情報を識別するステップと、
を含むことを特徴とする請求項１に記載の一般ディスプレイ領域における広告提供方法。
【請求項３】
ユーザのウェブページアクセスを認識し、地域情報データベースから前記ユーザの地域情報を識別する前記ステップは、
前記ウェブページアクセスを試みた前記ユーザのユーザＩＤを確認するステップと、
前記ユーザＩＤと関連したアドレス情報を識別し、前記地域情報データベースから前記アドレス情報と関連した地域情報を識別するステップと、
を含むことを特徴とする請求項１に記載の一般ディスプレイ領域における広告提供方法。
【請求項４】
ユーザのウェブページアクセスを認識し、前記地域情報データベースから前記ユーザの地域情報を識別する前記ステップは、
前記ウェブページアクセスを試みた前記ユーザのクッキー情報を確認するステップと、
前記クッキー情報と関連したアドレス情報を識別し、前記地域情報データベースから前記アドレス情報と関連した地域情報を識別するステップと、
を含むことを特徴とする請求項１に記載の一般ディスプレイ領域における広告提供方法。
【請求項５】
前記識別された地域情報と関連した広告リストの存在可否を確認する前記ステップは、
地域別に広告主ピクトグラム情報、広告テキスト情報、地図座標情報を含む広告情報を広告データベースに記録して保持するステップと、
前記広告データベースから前記地域情報と関連した広告情報が存在するか否かを確認するステップと、
前記広告情報が存在する場合に、前記地域情報と関連した広告情報を識別するステップと、
を含むことを特徴とする請求項１に記載の一般ディスプレイ領域における地域広告提供方法。
【請求項６】
前記識別された地域情報と関連した広告リストが存在しない場合に、前記広告データベースから一般広告情報を識別するステップと、
前記地図データベースから前記一般広告情報と関連した地図情報を識別するステップと、
前記一般ディスプレイ広告領域に前記一般広告情報と前記地図情報を露出するステップと、
をさらに含むことを特徴とする請求項５に記載の一般ディスプレイ領域における広告提供方法。
【請求項７】
一般ディスプレイ広告領域に前記広告情報と前記地図情報を露出する前記ステップは、
前記識別された地図情報と前記地域情報が同一であるか否かを判断するステップと、
前記地図情報と前記地域情報が同一である場合に、一般ディスプレイ広告領域に前記広告情報と前記地図情報を露出するステップと、
を含むことを特徴とする請求項１に記載の一般ディスプレイ領域における広告提供方法。
【請求項８】
前記判断の結果、前記地図情報と前記地域情報が同一でない場合に、広告データベースから一般広告情報を識別するステップと、
前記地図データベースから前記一般広告情報の地図座標情報と関連した地図情報を識別するステップと、
前記一般ディスプレイ広告領域に前記一般広告情報と前記地図情報を露出するステップと、
をさらに含むことを特徴とする請求項７に記載の一般ディスプレイ領域における広告提供方法。
【請求項９】
一般ディスプレイ広告領域に前記広告情報と前記地図情報を露出する前記ステップは、
前記広告情報と前記地図情報を前記一般ディスプレイ広告領域のテンプレートに適合するように加工して露出するステップ、
を含むことを特徴とする請求項１に記載の一般ディスプレイ領域における広告提供方法。
【請求項１０】
請求項１〜９のうちのいずれか一項の方法を実行させるためのプログラムを記録したコンピュータ読み取り可能な記録媒体。
【請求項１１】
地域別地図情報を記録して保持する地図データベースと、
ユーザのウェブページアクセスを認識し、地域情報データベースから前記ユーザの地域情報を識別する地域情報識別部と、
前記識別された地域情報と関連した広告リストの存在可否を確認する広告情報識別部と、
前記広告リストが存在する場合に、前記地域情報と関連して識別された広告情報と関連した地図情報を前記地図データベースから識別する地図情報識別部と、
一般ディスプレイ広告領域に前記地域情報と関連した広告情報と前記地図情報を露出する広告露出部と、
を備えることを特徴とする一般ディスプレイ領域における広告提供システム。
【請求項１２】
前記地域情報識別部は、
１）前記ウェブページアクセスを試みた前記ユーザのＩＰアドレス情報を確認し、前記ＩＰアドレス情報と関連したアドレス情報を識別したり、
２）前記ウェブページアクセスを試みた前記ユーザのユーザＩＤを確認し、前記ユーザＩＤと関連したアドレス情報を識別したり、
３）前記ウェブページアクセスを試みた前記ユーザのクッキー情報を確認し、前記クッキー情報と関連したアドレス情報を識別して前記地域情報データベースから前記アドレス情報と関連した地域情報を識別したりすることを特徴とする請求項１１に記載の一般ディスプレイ領域における広告提供システム。
【請求項１３】
地域別に広告主ピクトグラム情報、広告テキスト情報、地図座標情報を含む広告情報を記録して保持する広告データベースをさらに備え、
前記広告情報識別部は、
前記広告データベースから前記地域情報と関連した広告情報が存在するか否かを確認し、前記広告情報が存在する場合に、前記地域情報と関連した広告情報を識別することを特徴とする請求項１１に記載の一般ディスプレイ領域における広告提供システム。
【請求項１４】
前記広告情報識別部は、
前記識別された地域情報と関連した広告リストが存在しない場合に、前記広告データベースから一般広告情報を識別することを特徴とする請求項１３に記載の一般ディスプレイ領域における広告提供システム。
【請求項１５】
前記地図情報識別部は、
前記識別された地図情報と前記地域情報が同一であるか否かを判断し、
前記広告露出部は、
前記地図情報と前記地域情報が同一である場合に、一般ディスプレイ広告領域に前記広告情報と前記地図情報を露出することを特徴とする請求項１１に記載の一般ディスプレイ領域における広告提供システム。
【請求項１６】
前記広告情報識別部は、
前記判断の結果、前記地図情報と前記地域情報が同一でない場合に、広告データベースから一般広告情報を識別し、
前記地図情報識別部は、
前記地図データベースから前記一般広告情報の地図座標情報と関連した地図情報を識別することを特徴とする請求項１５に記載の一般ディスプレイ領域における広告提供システム。
【請求項１７】
前記広告露出部は、
前記広告情報と前記地図情報を前記一般ディスプレイ広告領域のテンプレートに適合するように加工して露出することを特徴とする請求項１１に記載の一般ディスプレイ領域における広告提供システム。
【発明の詳細な説明】
【技術分野】
【０００１】
本発明は、不特定多数を対象としてウェブページ接続を試みたユーザの地域情報を識別し、地域情報と関連した広告情報を地図情報と共に一般ディスプレイ領域に露出する方法およびシステムに関する。
【背景技術】
【０００２】
一般的に、検索サービスを提供する検索ウェブサイトは、ユーザから質問語が入力されれば、この質問語に対応する検索結果を提供する。例えば、検索結果は、質問語を含むウェブサイト、質問語を含む記事、質問語を含むファイル名を有するイメージ、質問語に対応する広告などである。
【０００３】
検索ウェブサイトで質問語に対応する広告を提供する方法は、広告主から広告と関連した広告質問語や地域と関連した地域広告質問語が登録された後、ユーザがこのような広告質問語や地域広告質問語を入力すれば、これに係る広告をウェブページ上に露出する。このとき、検索ウェブサイトは、広告質問語や地域広告質問語を入力した特定ユーザのみを対象として広告を提供することにより、ユーザが広告質問語や地域広告質問語を入力しなければ、これに係る広告を提供することができないという問題点があった。
【０００４】
広告は不特定多数の人々に広告主を広報するためのものであり、インターネット上では地域、性別、年齢に係わらずにすべての人が広告の対象となる。しかしながら、従来では、ユーザが入力した検索語を対象として広告を選択的に提供することにより、広告の根本的な目的を達成することが困難であった。
【発明の開示】
【発明が解決しようとする課題】
【０００５】
本発明は、上述したような従来技術の問題点を解決するために案出されたものであって、ウェブページ接続を試みたユーザの地域情報を識別し、ウェブページの一般ディスプレイ領域に地域情報と関連した広告情報および地図情報を露出することにより、不特定多数のウェブページ接続者を対象として地域広告を提供する一般ディスプレイ領域における広告提供方法およびシステムを提供することを目的とする。
【０００６】
また、本発明に係る一般ディスプレイ領域における広告提供方法およびシステムは、ウェブページ接続を試みたユーザのＩＰアドレス情報、クッキー情報、ユーザＩＤなどを用いてユーザの地域情報を識別することにより、別途の質問語が入力されなくても地域に係る広告を提供することができることを他の目的とする。
【０００７】
また、本発明に係る一般ディスプレイ領域における広告提供方法およびシステムは、ウェブページに接続したユーザの地域情報と関連した広告情報がない場合にも、一般的な広告情報を地図情報と共に一般ディスプレイ領域に提供することにより、ユーザに効率的に広告を提供することができることを他の目的とする。
【０００８】
また、本発明に係る一般ディスプレイ領域における広告提供方法およびシステムは、広告主のピクトグラム情報、広告テキスト情報、地図情報を共に広告として提供することにより、広告主の情報を効率的に提供することを他の目的とする。
【０００９】
さらに、本発明に係る一般ディスプレイ領域における広告提供方法およびシステムは、ユーザの地域に係る広告を提供することにより、ユーザ別に適応広告を提供することができるだけでなく、広告する業社がユーザの位置と近接していて直接訪問することができ、広告効果を高めることもできることをさらに他の目的とする。
【課題を解決するための手段】
【００１０】
上述した目的を達成し、上述した従来技術の問題点を解決するために、本発明の一実施形態に係る一般ディスプレイ領域における広告提供方法は、地域別地図情報を地図データベースに記録して保持するステップと、ユーザのウェブページアクセスを認識し、地域情報データベースから前記ユーザの地域情報を識別するステップと、前記識別された地域情報と関連した広告リストの存在可否を確認するステップと、前記広告リストが存在する場合に、前記地図データベースから前記地域情報と関連して識別された広告情報と関連した地図情報を識別するステップと、一般ディスプレイ広告領域に前記広告情報と前記地図情報を露出するステップとを含むことを特徴とする。
【００１１】
また、本発明の他の実施形態に係る一般ディスプレイ領域における広告提供システムは、地域別地図情報を記録して保持する地図データベースと、ユーザのウェブページアクセスを認識し、地域情報データベースから前記ユーザの地域情報を識別する地域情報識別部と、前記識別された地域情報と関連した広告リストの存在可否を確認する広告情報識別部と、前記広告リストが存在する場合に、前記地図データベースから前記地域情報と関連して識別された広告情報と関連した地図情報を識別する地図情報識別部と、一般ディスプレイ広告領域に前記地域情報と関連した広告情報と前記地図情報を露出する広告露出部とを備えることを特徴とする。
【発明を実施するための最良の形態】
【００１２】
以下、添付の図面を参照しながら、本発明に係る一般ディスプレイ領域における広告提供方法およびシステムについて詳しく説明する。
【００１３】
図１は、本発明の一実施形態において、一般ディスプレイ領域における広告提供システムの構成を示すブロック図である。
【００１４】
本実施形態において、一般ディスプレイ領域における広告提供システム１００（以下、広告提供システムとする）は、地域別地図情報を記録して保持する地図データベース１０３と、ユーザのウェブページアクセスを認識し、地域情報データベース１０１からユーザの地域情報を識別する地域情報識別部１０４と、識別された地域情報と関連した広告リストの存在可否を確認する広告情報識別部１０５と、広告リストが存在する場合に、地図データベースから地域情報と関連して識別された広告情報と関連した地図情報を識別する地図情報識別部１０６と、一般ディスプレイ広告領域に地域情報と関連した広告情報と地図情報を露出する広告露出部１０７とを備える。
【００１５】
本発明の他の実施形態によれば、地域情報識別部１０４は、１）ウェブページアクセスを試みたユーザのＩＰアドレス情報を確認し、ＩＰアドレス情報と関連したアドレス情報を識別したり、２）ウェブページアクセスを試みたユーザのユーザＩＤを確認し、ユーザＩＤと関連したアドレス情報を識別したり、３）ウェブページアクセスを試みたユーザのクッキー情報を確認し、クッキー情報と関連したアドレス情報を識別して地域情報データベース１０１からアドレス情報と関連した地域情報を識別したりできる。
【００１６】
また、本発明のさらに他の実施形態によれば、広告提供システム１００は、地域別に広告主ピクトグラム情報、広告テキスト情報、地図座標情報を含む広告情報を記録する広告データベース１０２をさらに備える。これにより、広告情報識別部１０５は、広告データベース１０２から地域情報と関連した広告情報の地図座標情報を識別することにより、地域情報と関連した広告リストの存在可否を確認することができる。
【００１７】
また、本発明のさらに他の実施形態によれば、広告情報識別部１０５は、地域情報と関連した広告情報が存在しない場合には一般広告情報を識別し、識別された地域情報と広告情報の地図座標情報と関連した地図情報が同一しない（同一でない）場合にも一般広告情報を識別することができる。
【００１８】
また、本発明のさらに他の実施形態によれば、広告提供システム１００は、広告情報と地図情報を一般ディスプレイ広告領域のテンプレートに適合するように加工して露出することができる。
【００１９】
このように、本発明によれば、ウェブページ接続を試みたユーザの地域情報を識別し、ウェブページの一般ディスプレイ領域に地域情報と関連した広告情報および地図情報を露出することにより、不特定多数のウェブページ接続者を対象として地域広告を提供することができる。
【００２０】
図２は、本発明の他の実施形態において、一般ディスプレイ領域における広告提供方法を示すフローチャートである。本実施形態に係る一般ディスプレイ領域における広告提供方法は、図１に示すような広告提供システム１００によって実行することができる。
【００２１】
ステップＳ２０１で、広告提供システム１００は、ユーザのウェブページアクセスを認識する。ユーザが広告提供システム１００で提供するウェブページをオープン（ｏｐｅｎ）したりウェブページに接続したりする場合に、広告提供システム１００は、ユーザのウェブページアクセスを認識することができる。
【００２２】
ステップＳ２０２で、広告提供システム１００の地域情報識別部１０４は、地域情報データベース１０１を参照してユーザの地域情報を識別する。地域情報データベース１０１は、アドレス情報別に地域情報を記録して保持することができる。例えば、地域情報データベース１０１は、「ソウル市江南区論硯洞」、「京畿道高陽市一山区」、「全羅北道全州市」などと地域情報を記録して保持することができる。
【００２３】
地域情報識別部１０４は、ユーザのＩＰアドレス情報、クッキー情報、またはユーザのユーザＩＤのうちの１つを用いてユーザの地域情報を識別することができる。
【００２４】
本発明の実施形態によれば、地域情報識別部１０４は、ウェブページに接続を試みたユーザのＩＰアドレス情報を確認し、ＩＰアドレス情報と関連したアドレス情報を識別して地域情報データベース１０１からアドレス情報と関連した地域情報を識別することができる。ＩＰアドレス（ｉｎｔｅｒｎｅｔ  ｐｒｏｔｏｃｏｌ  ａｄｄｒｅｓｓ）は、インターネットに連結されたすべての通信網とその通信網に連結されたコンピュータに付与される固有の識別アドレスを意味する。ＩＰアドレスは地域に応じて区分して付与され、ＩＰアドレスを識別すればホスト（ｈｏｓｔ）を識別することができる。したがって、地域情報識別部１０４は、ＩＰアドレスを識別することによってユーザの地域情報を識別することができる。
【００２５】
本発明の他の実施形態によれば、地域情報識別部１０４は、ウェブページに接続を試みたユーザのクッキー情報を確認し、クッキー情報と関連したアドレス情報を識別して地域情報データベース１０１からアドレス情報と関連した地域情報を識別することができる。クッキー（ｃｏｏｋｉｅ）は、インターネットウェブサイトの訪問記録を残してユーザとウェブサイトとの媒介を支援する情報であり、特定サイトを初めて訪問すればＩＤとパスワードを記録したクッキーが生成され、次に接続するときには別途の手順なくサイトに迅速に連結できるようにすることに用いられる。本発明では、ユーザが広告提供システム１００のウェブページに接続したときに生成されたクッキー情報をユーザの地域情報の識別に用いることができる。
【００２６】
本発明のさらに他の実施形態によれば、地域情報識別部１０４は、ウェブページに接続を試みたユーザのユーザＩＤ（ｉｄｅｎｔｉｆｉｃａｔｉｏｎ  ｎｕｍｂｅｒ）を確認し、ユーザＩＤと関連したアドレス情報を識別して地域情報データベース１０１からアドレス情報と関連した地域情報を識別することができる。ユーザは、広告提供システム１００で提供するさらに多くのサービスを用いるために広告提供システム１００に会員加入することができ、会員加入時に生成されるユーザＩＤに対応してアドレス情報が会員データベースに記録されるようになる。したがって、広告提供システム１００は、ユーザがログインを実行すれば会員データベースからアドレス情報を識別することができ、アドレス情報を用いてユーザの地域情報を識別することができる。
【００２７】
このように、本発明によれば、ウェブページ接続を試みたユーザのＩＰアドレス情報、クッキー情報、ユーザＩＤなどを用いてユーザの地域情報を識別することにより、ユーザから別途の質問語が入力されなくてもユーザが位置した地域の広告を提供することができる。
【００２８】
ステップＳ２０３で、広告提供システム１００の広告情報識別部１０５は、識別された地域情報と関連した広告リストが存在するか否かを判断する。広告情報識別部１０５は、広告データベース１０２を参照して地域情報と関連した広告リストが存在するか否かを判断することができる。広告データベース１０２は、広告主ピクトグラム情報、広告テキスト情報、地図座標情報を含む広告情報を記録して保持する。
【００２９】
広告主ピクトグラム（ｐｉｃｔｏｇｒａｍ）は、絵を意味するピクト（ｐｉｃｔｏ）と電報を意味するテレグラム（ｔｅｌｅｇｒａｍ）の合成語であり、絵文字の一種である。すなわち、事物、施設、行為、概念などを象徴的に絵文字で示し、対象の意味を視覚的に迅速に認識できるように生成した絵文字であると同時に象徴文字である。
【００３０】
また、広告テキスト情報は、広告主（業社）の詳細情報を提供するための情報であり、業社名、業社の位置、業社の種類、電話番号などを表記することができる。例えば、広告テキスト情報は、「新世界大型ディスカウントマート、食品、０３１−７１０−１２３４、京畿道城南市」などと表現することができる。
【００３１】
さらに、地図座標情報は、業社が位置した地域の座標情報であり、地域情報と関連した広告情報を識別することに用いられたり、地図データベース１０３から業社の地図情報を識別することに用いられたりする。
【００３２】
本発明の他の実施形態によれば、広告情報識別部１０５は、広告データベース１０２から地域情報と関連した広告情報の地図座標情報が存在するか否かを判断することができる。広告提供システム１００は、地域情報と関連した広告リストが存在する場合にはステップＳ２０４を実行し、地域情報と関連した広告リストが存在しない場合にはステップＳ２０３ａを実行することができる。
【００３３】
ステップＳ２０４で、広告提供システム１００の地図情報識別部１０６は、地図データベース１０３から広告情報の地図座標情報と関連した地図情報を識別する。地図データベース１０３は、地域別地図情報を記録して保持するものであるが、例えば、大きくは「ソウル」、「京幾」、「仁川」、小さくは「ソウル市江南区新沙洞」、「仁川市素砂区富川洞」などと地図情報を記録することができる。
【００３４】
ステップＳ２０５で、広告提供システム１００は、識別された地図情報が地域情報と同一するか否かを判断する。本発明の他の実施形態によれば、広告情報の地図座標情報に基づいて識別された地図情報とユーザが位置した地域情報が同一しない（同一でない）場合もある。本発明は、ユーザが位置した地域の業社広告を提供するためのものであるため、このような場合にはユーザが位置した地域の業社広告を提供できないこともある。したがって、広告提供システム１００は、地図情報が地域情報と同一する場合にはステップＳ２０６を実行し、地図情報が地域情報と同一しない場合には地域に関係のない一般的な広告を提供するためにステップＳ２０３ａを実行することができる。
【００３５】
ステップＳ２０６で、広告提供システム１００の広告露出部１０７は、広告情報と地図情報を一般ディスプレイ広告領域に露出する。本発明の他の実施形態によれば、広告露出部１０７は、広告情報と地図情報を一般ディスプレイ領域のテンプレートに適合するように加工して露出することができる。
【００３６】
テンプレートは、辞書的用語ではある図式や書式で頻繁に用いられる基本骨格であり、各種データ処理のために一定の構造を生成しておき、ユーザがデータ入力のみを行えば良いようにしておいたものである。本発明におけるテンプレートは、広告主ピクトグラム情報、広告テキスト情報、地図情報を一般ディスプレイ領域の各設定された位置に露出できるようにするものを意味する。
【００３７】
図３は、本発明に係る一般ディスプレイ領域に露出された地図情報と広告情報を示す図である。
【００３８】
図に示すように、広告提供システム１００は、一般ディスプレイ領域の上段部には地図情報を、下段部には広告主ピクトグラム情報と広告テキスト情報を露出することができる。地図情報は広告業社を含む一定領域の地図データであり、広告主ピクトグラム情報は広告する業社の種類が「ショッピングセンタ」であることを示す絵文字であり、広告テキスト情報は「イーマート盆唐店、０３１−７１０−１２３４、新世界大型ディスカウントマート、食品」という業社の詳細情報である。
【００３９】
広告提供システム１００は、各設定された位置に地図情報、ピクトグラム情報、テキスト情報の露出されるように一般ディスプレイ領域のテンプレートに適合するように地図情報、広告主ピクトグラム情報、広告テキスト情報を加工して露出することができる。
【００４０】
また、図に示すように、順序どおりに、病院、飲食店、学校、ショッピングセンタ、銭湯などのピクトグラム情報を表現したものである。このように、本発明によれば、業社の種類を文字で表現する代りにピクトグラムで表現することにより、ユーザが対象の意味を視覚的に迅速に認識できるようにする効果がある。
【００４１】
ステップＳ２０３ａで、広告情報識別部１０５は、広告データベース１０２から一般（ｄｅｆａｕｌｔ）広告情報を識別する。
【００４２】
本発明の実施形態によれば、一般広告情報は、ユーザが位置した地域と関連した広告情報を提供することができなかった場合に提供する広告であり、地域情報と関係のない一般的な広告情報である。
【００４３】
また、本発明の他の実施形態によれば、一般広告情報は、ユーザが位置した小さい単位の地域とは一致しないが、大きい単位の地域とは一致する地域の広告情報であり得る。例えば、「全羅北道全州市中華山洞」と関連した広告情報は存在しないが、「全羅北道」または「全羅北道全州市」と関連した広告情報は存在する場合がある。このような場合に、広告提供システム１００は、「全羅北道」または「全羅北道全州市」と関連した広告情報を一般広告情報として識別することができる。
【００４４】
これにより、地図情報識別部１０６は、地図データベース１０３から識別された一般広告情報の地図座標情報と関連した地図情報を識別する。
【００４５】
ステップＳ２０３ｂで、広告露出部１０７は、一般広告情報と地図情報を一般ディスプレイ領域に露出することができる。このときにも、広告露出部１０７は、一般ディスプレイ領域のテンプレートに適合するように一般広告情報と地図情報を加工して露出することができる。
【００４６】
このように、本発明によれば、ウェブページに接続したユーザの地域情報と関連した広告情報がない場合にも、一般的な広告情報を地図情報と共に一般ディスプレイ領域に提供することにより、業社広告を効率的に提供することができる。
【００４７】
図４および図５は、本発明に係るウェブページの一般ディスプレイ領域に地域広告を露出する画面を示す図である。
【００４８】
図４で示すように、広告提供システム１００は、ユーザから別途の質問語が入力されていない状態で、ウェブページに接続したユーザの地域情報と関連した業社広告（イーマート盆唐店）を提供することができる。このような場合に、ウェブページを訪問する不特定多数のユーザにウェブページを訪問した地域と関連した広告を提供することにより、ユーザ別に適応広告を提供できるだけでなく、広告する業社がユーザの位置と近接していて直接訪問することができ、広告効果を高めることもできるという長所がある。
【００４９】
図５で示すように、広告提供システム１００は、ウェブページに接続を試みたユーザの地域情報と関連した業社広告（ドリーム成形外科）を地図情報と共に提供することができる。これは、「ドリーム成形外科」を訪問するために別途で地図情報を検索しなくても業社広告と共に地図が提供されることにより、広告効果を極大化することができるという長所がある。
【００５０】
なお、本発明に係る一般ディスプレイ領域における広告提供方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００５１】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【産業上の利用可能性】
【００５２】
本発明に係る一般ディスプレイ領域における広告提供方法およびシステムによれば、ウェブページ接続を試みたユーザの地域情報を識別し、ウェブページの一般ディスプレイ領域に地域情報と関連した広告情報および地図情報を露出することにより、不特定多数のウェブページ接続者を対象として地域広告を提供することができる。
【００５３】
また、本発明に係る一般ディスプレイ領域における広告提供方法およびシステムによれば、ウェブページ接続を試みたユーザのＩＰアドレス情報、クッキー情報、ユーザＩＤなどを用いてユーザの地域情報を識別することにより、別途の質問語が入力されなくても地域に係る広告を提供することができる。
【００５４】
また、本発明に係る一般ディスプレイ領域における広告提供方法およびシステムによれば、ウェブページに接続したユーザの地域情報と関連した広告情報がない場合にも、一般的な広告情報を地図情報と共に一般ディスプレイ領域に提供することにより、ユーザに効率的に広告を提供することができる。
【００５５】
また、本発明に係る一般ディスプレイ領域における広告提供方法およびシステムによれば、広告主のピクトグラム情報、広告テキスト情報、地図情報を共に広告として提供することにより、広告主の情報を効率的に提供することができる。
【００５６】
さらに、本発明に係る一般ディスプレイ領域における広告提供方法およびシステムによれば、ユーザの地域に係る広告を提供することにより、ユーザ別に適応広告を提供できるだけでなく、広告する業社がユーザの位置と近接していて直接訪問することができ、広告効果を高めることもできる。
【図面の簡単な説明】
【００５７】
【図１】本発明の一実施形態において、一般ディスプレイ領域における広告提供システムの構成を示すブロック図である。
【図２】本発明の他の実施形態において、一般ディスプレイ領域における広告提供方法を示すフローチャートである。
【図３】本発明に係る一般ディスプレイ領域に露出された地図情報と広告情報を示す図である。
【図４】本発明に係るウェブページの一般ディスプレイ領域に地域広告を露出する画面を示す図である。
【図５】本発明に係るウェブページの一般ディスプレイ領域に地域広告を露出する画面を示す図である。
【図１】
2009540421.tif 000003
【図２】
2009540421.tif 000004
【図３】
2009540421.tif 000005
【図４】
2009540421.tif 000006
【図５】
2009540421.tif 000007
【国際調査報告】
2009540421.tif 000008
2009540421.tif 000009